(57)【要約】【課題】本体とスタンドの組立てが簡単であると共に、簡単な構造で本体の傾きを調整できる表示装置を提供する。【解決手段】本体に設けられた第１の軸受部と、第１の軸受部に通され軸受部の中心軸回りに回転可能であると共に軸受部の中心軸と同心になるように設けられた第１のカム部を有する第１のピンと、スタンドに設けられ第１のピンの頭部が通過する第１の孔部と第１のカム部が嵌められる第２の孔部により構成された第１の開口部と、本体に設けられた第２の軸受部と、第２の軸受部に通され軸受部の中心軸回りに回転可能であると共に軸受部の中心軸に対して偏心するように設けられた第２のカム部を有する第２のピンと、スタンドに設けられ第２のピンの頭部が通過する第３の孔部と第２のカム部が嵌められる第４の孔部により構成された第２の開口部とを有する。【選択図】図２
2011077951.tif 000002
【特許請求の範囲】
【請求項１】
本体と、
前記本体を支持するスタンドと、
前記本体と前記スタンドとの間に設けられるとともに、前記本体の傾きを調整できる調整機構と、を具備し、
前記調整機構は、
前記本体に設けられた第１の軸受部と、
前記第１の軸受部に通され前記軸受部の中心軸回りに回転可能であると共に前記軸受部の中心軸と同心になるように設けられた第１のカム部を有する第１のピンと、
前記スタンドに設けられ前記第１のピンの頭部が通過する第１の孔部と前記第１のカム部が嵌められる第２の孔部により構成された第１の開口部と、
前記本体に設けられた第２の軸受部と、
前記第２の軸受部に通され前記軸受部の中心軸回りに回転可能であると共に前記軸受部の中心軸に対して偏心するように設けられた第２のカム部を有する第２のピンと、
前記スタンドに設けられ前記第２のピンの頭部が通過する第３の孔部と前記第２のカム部が嵌められる第４の孔部により構成された第２の開口部と、
を有することを特徴とする表示装置。
【請求項２】
前記第１の軸受部と前記第１のピンはネジ機構により螺合し、前記軸受部の中心軸回りに回転可能であることを特徴とする請求項１記載の表示装置。
【請求項３】
前記第２の軸受部と前記第２のピンはネジ機構により螺合し、前記軸受部の中心軸回りに回転可能であることを特徴とする請求項１記載の表示装置。
【請求項４】
前記第１の孔部は、前記第１のピンの頭部の外径より大きな直径を持つ略円形であり、前記第２の孔部は、Ｕ字の幅が前記第１のピンの頭部の外径より小さく前記第１のカム部の外形より大きな略Ｕ字形状をなしていることを特徴とする請求項１記載の表示装置。
【請求項５】
前記第３の孔部は前記第２のピンの頭部の外径より大きな直径を持つ略円形であり、前記第４の孔部は、Ｕ字の幅が前記第２のピンの頭部の外径より小さく前記第２のカム部の外形より大きな略Ｕ字形状をなしていることを特徴とする請求項１記載の表示装置。
【請求項６】
本体と、
前記本体を支持するスタンドと、
前記本体と前記スタンドとの間に設けられるとともに、前記本体の傾きを調整できる調整機構と、を具備し、
前記調整機構は、
前記本体に設けられた第１の軸受部と、
前記第１の軸受部に通され前記軸受部の中心軸回りに回転可能であると共に前記軸受部の中心軸に対して偏心するように設けられた第１のカム部を有する第１のピンと、
前記スタンドに設けられ前記第１のピンの頭部が通過する第１の孔部と前記第１のカム部が嵌められる第２の孔部により構成された第１の開口部と、
前記本体に設けられた第２の軸受部と、
前記第２の軸受部に通され前記軸受部の中心軸回りに回転可能であると共に前記軸受部の中心軸に対して偏心するように設けられた第２のカム部を有する第２のピンと、
前記スタンドに設けられ前記第２のピンの頭部が通過する第３の孔部と前記第２のカム部が嵌められる第４の孔部により構成された第２の開口部と、
を有することを特徴とする表示装置。
【発明の詳細な説明】
【技術分野】
【０００１】
本発明は、本体の傾きを調整することができる表示装置に関する。
【背景技術】
【０００２】
近年、液晶表示パネルやＰＤＰ（Plasma Display Panel）などの表示パネルを用いた薄型テレビの画面の大型化が進展し、４０型（有効可視領域の対角長が４０インチ）以上の薄型テレビも多数商品化されている。薄型テレビの外形は、画面のアスペクト比が１６：９の横長で矩形の平板であるため、表示画面を中心とする外形の傾きや、表示画面の設置面に対する垂直面からの傾きが大きいと、大型の薄型テレビの外形の端部では傾きによる位置ずれが目立ち、商品性を著しく損ねることになる。
【０００３】
例えば、表示画面を水平に保つための調整機構を備えた薄型の表示装置として、以下のものが開示されている。本体と、本体を支持するスタンドと、本体とスタンドとの間に設けられるとともに、本体の傾きを調整できる調整機構とを具備し、調整機構は、第１の位置決め部と、第１の位置決め部とは独立に設けられる第２の位置決め部とを有し、第１の位置決め部は、本体をスタンドに対して位置決めし、第２の位置決め部は、第１の位置決め部を支点に本体をスタンドに対して所定角度回転させるとともに、所定角度回転した状態で本体をスタンドに対して位置決めするようになっている。
【先行技術文献】
【特許文献】
【０００４】
【特許文献１】特開２００８−１８６００３号公報
【発明の概要】
【発明が解決しようとする課題】
【０００５】
特許文献１の表示装置は、本体を仮止めするためのフック機構が傾きを調整する調整機構とは別に設置されており、スタンドと本体を組み立てる際にスタンドの上側に本体のフック機構を引っ掛ける必要があった。この後固定用のネジを仮止めしてから、スタンドの軸受部に羅合された位置調整用のピンをドライバで回転させながらピンのカム部を本体の開口部に挿入していくが、フック機構の位置の寸法誤差や、固定用のネジと対応するネジ穴の寸法誤差により、ピンのカム部が本体の開口部にうまく挿入しない問題があった。また上述のように別途フック機構を設置する必要があり、その設置場所の確保とフック機構のコストが必要となっていた。
【０００６】
また、第１の位置決め部が支点となって回転する場合に第２のカムだけでは回転角度が小さく場合によっては補正しきれない場合があった。
【０００７】
本発明は上記したような事情に鑑み成されたものであって、本体とスタンドの組立てが簡単であると共に、簡単な構造で本体の傾きを調整できる表示装置を提供することを目的とする。
【課題を解決するための手段】
【０００８】
上記目的を達成するために、本発明の表示装置は、本体と、前記本体を支持するスタンドと、前記本体と前記スタンドとの間に設けられるとともに、前記本体の傾きを調整できる調整機構と、を具備し、前記調整機構は、前記本体に設けられた第１の軸受部と、前記第１の軸受部に通され前記軸受部の中心軸回りに回転可能であると共に前記軸受部の中心軸と同心になるように設けられた第１のカム部を有する第１のピンと、前記スタンドに設けられ前記第１のピンの頭部が通過する第１の孔部と前記第１のカム部が嵌められる第２の孔部により構成された第１の開口部と、前記本体に設けられた第２の軸受部と、前記第２の軸受部に通され前記軸受部の中心軸回りに回転可能であると共に前記軸受部の中心軸に対して偏心するように設けられた第２のカム部を有する第２のピンと、前記スタンドに設けられ前記第２のピンの頭部が通過する第３の孔部と前記第２のカム部が嵌められる第４の孔部により構成された第２の開口部と、を有することを特徴とする。
【０００９】
また、本発明の表示装置は、本体と、前記本体を支持するスタンドと、前記本体と前記スタンドとの間に設けられるとともに、前記本体の傾きを調整できる調整機構と、を具備し、前記調整機構は、前記本体に設けられた第１の軸受部と、前記第１の軸受部に通され前記軸受部の中心軸回りに回転可能であると共に前記軸受部の中心軸に対して偏心するように設けられた第１のカム部を有する第１のピンと、前記スタンドに設けられ前記第１のピンの頭部が通過する第１の孔部と前記第１のカム部が嵌められる第２の孔部により構成された第１の開口部と、前記本体に設けられた第２の軸受部と、前記第２の軸受部に通され前記軸受部の中心軸回りに回転可能であると共に前記軸受部の中心軸に対して偏心するように設けられた第２のカム部を有する第２のピンと、前記スタンドに設けられ前記第２のピンの頭部が通過する第３の孔部と前記第２のカム部が嵌められる第４の孔部により構成された第２の開口部と、を有することを特徴とする。
【発明の効果】
【００１０】
本発明によれば、表示装置の本体とスタンドの組立てが簡単であると共に、簡単な構造で表示装置の本体の傾きを調整できる。
【図面の簡単な説明】
【００１１】
【図１】本発明による表示装置の概観を示した斜視図。
【図２】表示装置を背面から見た図。
【図３】図２におけるＡＡ断面を示した図。
【図４】スタンドを背面側から見た概観斜視図。
【図５】スタンドとフレームの接合状態を背面側から見た概観斜視図。
【図６】第１のピンの概観を示した斜視図。
【図７】第２のピンの概観を示した斜視図。
【図８】スタンドの支持部とフレームの接合部の拡大図。
【図９】スタンドの支持部とフレームの接合部の拡大図。
【図１０】フレームの動作を示した背面図。
【図１１】実施の形態２における第１のピン２２の概観を示した斜視図。
【図１２】実施の形態２におけるスタンドの支持部とフレームの接合部の拡大図。
【図１３】実施の形態２におけるフレームの動作を示した背面図。
【発明を実施するための形態】
【００１２】
以下本発明の実施例の形態について図面を参照しながら説明する。
【００１３】
（実施の形態１）
図１は、本発明による表示装置の概観を示した斜視図である。図２は、表示装置１を背面から見た図である。図３は表示装置１の図２におけるＡＡ断面を示した図である。図１に示すように、表示装置１は、本体２と、本体２を支持するスタンド３を備えている。図１と図２および図３に示すように、本体２は前面側に液晶パネルやＰＤＰパネル等の表示パネル４が配置され、表示パネル４の背面側に表示パネル４を支持するフレーム５が配置されている。フレーム５には表示パネルを駆動するための図示しない回路基板や電源回路が設置されている。本体２の前面側と本体の上面、底面、両側側面の一部を覆う前面カバー６と、本体２の背面と本体の上面、底面、両側側面の一部を覆う背面カバー７とによって外面が囲まれている。
【００１４】
図２に示すように、本体２はその略中央下部において、スタンド３と接合し、スタンド３によって支持されている。スタンド３の台座８から略垂直に立ち上がっている２箇所の支持部１０、１１に４箇所のネジ固定用の孔１２ａ〜１２ｄがあり、フレーム５には図示しない固定用のネジ穴１３ａ〜１３ｄが設けられており、固定ネジ１４ａ〜１４ｄによってフレーム５とスタンド３が固定されている。フレーム５は、例えば厚さ１〜２ｍｍの金属板の曲げ加工により形成されている。但しネジ穴部には補強版等が設けられている。本実施形態において、固定ネジは４個であるが、固定ネジは必要に応じて更に複数個追加してもよいことは言うまでもない。
【００１５】
背面カバー７には固定ネジ１４ａ〜１４ｄに対応する位置に開口部１５ａ〜１５ｄがあり、背面カバー７の外側から固定ネジ１４ａ〜１４ｄを締めたり緩めたりできるようになっている。
【００１６】
図２と図３に示すように、スタンド３の支持部１０の中央付近には傾き調整用の調整機構を有し、第１のピン１６が配置されている。また、支持部１１の中央付近には傾き調整用の調整機構を有し、第２のピン１７が配置されている。第１のピン１６は、このピンを回転中心として本体２を回転し本体２の水平方向の傾きを調整するためのピンである。第２のピン１７は、偏心カム部を有しており、第２のピン１７を回転させて第２のピンの回転軸を支持部１１に対して上下させることによって、結果として第１のピン１６を回転中心として本体を回転させ本体の傾きが調整される。
【００１７】
図４は、スタンドを背面側から見た概観斜視図である。スタンド３の台座８の略中央部に脚部９ａが設置されている。脚部９ａの上にコの字型をした支持部材９が配置されている。支持部材９は貫部９ｂの両脇に台座８に対して略垂直に伸びた支持部１０、１１が配置されている。脚部９ａ、貫部９ｂ、支持部１０、１１は、アルミダイカスト等により一体的に成型されている。
【００１８】
支持部１０のネジ固定用の孔１２ａと１２ｂの間には、第１の開口部１８が設けられている。第１の開口部１８は略円形の第１の孔１８ａとこの孔の一部に連結したＵ字形状の第２の孔１８ｂとから構成されており、円形と、幅がこの円の直径より小さな長丸穴が一体となった形状をしている。例えば、電球のような形状である。また、支持部１１のネジ固定用の孔１２ｃと１２ｄの間には、第２の開口部１９が設けられている。第２の開口部１９は略円形の第３の孔１９ａと第３の孔の一部に連結したＵ字形状の第４の孔１９ｂとから構成されており、円形と幅がこの円の直径より小さな長丸穴が一体となった形状をしている。例えば、電球のような形状である。
【００１９】
図５は、スタンド３とフレーム５の接合状態を背面側から見た概観斜視図である。フレーム５に表示パネル４が取り付けられた状態である。支持部１０において、ネジ固定用の孔１２ａ、１２ｂとフレーム５のネジ穴１３ａ、１３ｂ、固定ネジ１４ａ、１４ｂによって固定されている。固定ネジ１４ａ、１４ｂの間には、第１のピン１６が配置されている。支持部１１において、ネジ固定用の孔１２ｃ、１２ｄとフレーム５のネジ穴１３ｃ、１３ｄ、固定ネジ１４ｃ、１４ｄによって固定されている。固定ネジ１４ｃ、１４ｄの間には、第２のピン１７が配置されている。
【００２０】
図６は、第１のピン１６の概観を示した斜視図である。頭部１６aには、すり割り１６ｂが設けられマイナスドライバで第１のピン１６を回転させることができる。頭部１６aの反対側にはネジ部１６ｄが設けられている。ネジ部１６ｄの後部には止め輪１６ｄが設けられている。頭部１６ａとネジ部１６ｄの間には第１のカム部１６ｅが設けられている。ネジ部１６ｄの中心軸１６ｆと第１のカム部１６ｅの中心軸１６ｇは同心である。なお、頭部１６ａは、止め輪で代用させることも可能である。
【００２１】
図７は、第２のピン１７の概観を示した斜視図である。頭部１７ａには、すり割り１７ｂが設けられマイナスドライバで第２のピン１７を回転させることができる。頭部１７ａの反対側にはネジ部１７ｄが設けられている。ネジ部１７ｄの後部には止め輪１７ｄが設けられている。頭部１７ａとネジ部１７ｄの間には第２のカム部１７ｅが設けられている。ネジ部１７ｄの中心軸１７ｆと第２のカム部１７ｅの中心軸１７ｇは偏心している。なお、頭部１７ａは、止め輪で代用させることも可能である。
【００２２】
図８は、スタンド３の支持部１０とフレーム５の接合部の拡大図である。図８（a）は、支持部１０の部分を背面側から見た図である。第１の開口部１８は略円形の第１の孔１８ａとこの孔の一部に連結したＵ字形状の第２の孔１８ｂから構成されており、第１の孔部１８ａは、第１のピン１６の頭部１６ａの外径より大きな直径を持つ略円形である。第２の孔部１８ｂは、Ｕ字の幅が第１のピン１６の頭部１６ａの外径より小さく第１のカム部１６ｅの外形より大きな略Ｕ字形状をなしている。
【００２３】
図８（ｂ）は、図８（a）におけるＢＢ断面を示した図である。フレーム５には、第１の軸受部２０が設けられている。第１の軸受部２０は、第１のピン１６のネジ部１６ｃと相補的な雌ネジの構造となっている。ネジ部１６ｃは第１の軸受部２０と螺合するネジ機構となっており、第１のピン１６を回転することによって第１のピン１６は第１の軸受部２０の中心軸回りに回転可能である。第１のピン１６は第１の軸受部２０に螺合された後で、止め輪１６ｄを嵌められることによって、第１の軸受部２０から抜け落ちることがなくなる。
【００２４】
図８（ｃ）は、図８（a）におけるＣＣ断面を示した図である。支持部１０の断面はフレーム側に開いたコの字の形状をしており、フレーム５の支柱を囲むように配置されている。このようにすることによって、フレーム５および支持部１０の強度を確保しながら、表示パネル４と支持部１０の背面との距離を小さくすることができ、本体を薄型化することが可能となる。
【００２５】
図９は、スタンド３の支持部１１とフレーム５の接合部の拡大図である。図９（a）は、支持部１１の部分を背面側から見た図である。第２の開口部１９は略円形の第３の孔１９ａとこの孔の一部に連結したＵ字形状の第４の孔１９ｂから構成されており、第３の孔部１９ａは、第２のピン１７の頭部１７ａの外径より大きな直径を持つ略円形である。第４の孔部１９ｂは、Ｕ字の幅が第２のピン１７の頭部１７ａの外径より小さく第２のカム部１７ｅの外形より大きな略Ｕ字形状をなしている。
【００２６】
図９（ｂ）は、図９（a）におけるＤＤ断面を示した図である。フレーム５には、第２の軸受部２１が設けられている。第２の軸受部２１は第２のピン１７のネジ部１７ｃと相補的な雌ネジの構造となっている。ネジ部１７ｃは第２の軸受部２１と螺合するネジ機構となっており、第２のピン１７は第２の軸受部２１の中心軸回りに回転可能である。第２のピン１７は第２の軸受部２１に螺合された後で、止め輪１７ｄを嵌められることによって、第２の軸受部２１から抜け落ちることがなくなる。
【００２７】
図９（ｃ）は、図９（a）におけるＥＥ断面を示した図である。支持部１１の断面はフレーム側に開いたコの字の形状をしており、フレーム５の支柱を囲むように配置されている。このようにすることによって、フレーム５および支持部１１の強度を確保しながら、表示パネル４と支持部１１の背面との距離を小さくすることができ、本体を薄型化することが可能となる。
【００２８】
図８（a）、図８（ｂ）、図９（a）、図９（ｂ）に示すように、フレーム５あるいは本体２とスタンド３を組み立てる際、フレーム５に取り付けられた第１のピン１６の頭部１６ａを第１の開口部１８の第１の孔１８ａに挿入し、フレーム５あるいは本体２を下ろすことによって、頭部１６ａが第２の孔１８ｂの部分から抜けなくなり、フックの作用を奏することになる。同様にフレーム５に取り付けられた第２のピン１７の頭部１７ａを第２の開口部１９の第３の孔１９ａに挿入し、フレーム５あるいは本体２を下ろすことによって、頭部１７ａが第４の孔１９ｂの部分から抜けなくなり、フックの作用を奏する。
【００２９】
次に傾きの調整について説明する。上述したようにフレーム５あるいは本体２を第１のピン１６および第２のピン１７をそれぞれ第１の開口部１８、第２の開口部１９に引っ掛けてから、固定用のネジ穴１３ａ〜１３ｄに固定ネジ１４ａ〜１４ｄを螺合させて仮止め状態にする。
【００３０】
図９（ａ）に示すように第２のピン１７には、ネジ部１７ｃの中心軸に対して偏心した第２のカム部１７ｅが設けられており、第２のピン１７を回転させることによって、第２のカム部１７ｅと第２の開口部１９の底部１９ｃが接触することによって、ネジ部１７ｃの高さが変化し、従って第２の軸受部２１の高さが変化し、フレーム５あるいは本体２が、第１のピン１６を中心に回転する。傾きが調整された後で固定ネジ１４ａ〜１４ｄを固定状態となるように締める。図９（a）、図９（ｂ）は、第２のカム部１７ｅが中心軸に対して下側に位置しており、ネジ部１７ｃが底部１９ｃに対してカム部１７ｅの偏心の大きさだけ上昇した状態、即ち支持部１１に対してフレーム５が上昇した状態を示している。
【００３１】
図１０は、フレーム５の動作を示した背面図である。第１のピン１６を回転中心としてフレーム５が回転する様子を強調して示している。調整角度は第２のピン１７の第２のカム部１７ｅの偏心の大きさと第１のピン１６と第２のピン１７の距離によって決定されるが、スタンド３、フレーム５、前面カバー６、背面カバー７の寸法誤差によるばらつきが補正できる範囲であればよい。
【００３２】
以上のように、本体２に設けられた第１の軸受部２０、第１の軸受部２０に通され軸受部の中心軸回りに回転可能であると共に軸受部の中心軸と同心になるように設けられた第１のカム部１６ｅを有する第１のピン１６と、スタンド３に設けられ第１のピン１６の頭部１６ａが通過する第１の孔部１８ａと第１のカム部１６ｅが嵌められる第２の孔部１８ｂにより構成された第１の開口部１８と、本体２に設けられた第２の軸受部２１と、第２の軸受部２１に通され軸受部の中心軸回りに回転可能であると共に軸受部の中心軸に対して偏心するように設けられた第２のカム部１７ｅを有する第２のピン１７と、スタンド３に設けられ第２のピンの頭部１７ａが通過する第３の孔部１９ａと第２のカム部１７ｅが嵌められる第４の孔部１９ｂにより構成された第２の開口部１９と、によって、フレーム５あるいは本体２とスタンド３とを組み立てる際のフック機能と位置決め機能を有すると共に傾き調整をも行うことができる。従って、表示装置の本体２とスタンド３の組立てが簡単であると共に、簡単な構造で表示装置１の本体２の傾きを調整することができる。
【００３３】
（実施の形態２）
実施の形態１においては、支持部１０における第１のピン１６の第１のカム部１６ｅは軸受部の中心軸と同心であって、傾き調整においては回転中心の機能しか持たなかった。支持部１０においても第１のピンとして、第２のピン１７と同様な偏心したカム部を有する第１のピンを用いることによって、第１の軸受部２０の高さを調整することが可能となる。このとき傾きの調整範囲は、実施の形態１に比較して最大で２倍になる。より広い範囲の調整が可能となる。実施の形態２が、実施の形態１と異なる点は、第１のピン１６を第１のピン２２に代えたことにある。
【００３４】
図１１は、実施の形態２における第１のピン２２の概観を示した斜視図である。形状は実施の形態１における第２のピン１７と同様である。頭部２２aには、すり割り２２ｂが設けられマイナスドライバで第１のピン２２を回転させることができる。頭部２２aの反対側にはネジ部２２ｄが設けられている。ネジ部２２ｄの後部には止め輪２２ｄが設けられている。頭部２２ａとネジ部２２ｄの間には第１のカム部２２ｅが設けられている。ネジ部２２ｄの中心軸２２ｆと第１のカム部２２ｅの中心軸２２ｇは偏心している。なお、頭部２２ａは、止め輪で代用させることも可能である。
【００３５】
図１２は、実施の形態２におけるスタンド３の支持部１０とフレーム５の接合部の拡大図である。図１２（a）は、支持部１０の部分を背面側から見た図である。第１の開口部１８は略円形の第１の孔１８ａとこの孔の一部に連結したＵ字形状の第２の孔１８ｂから構成されており、第１の孔部１８ａは、第１のピン１６の頭部１６ａの外径より大きな直径を持つ略円形である。第２の孔部１８ｂは、Ｕ字の幅が第１のピン２２の頭部２２ａの外径より小さく第１のカム部２２ｅの外形より大きな略Ｕ字形状をなしている。
【００３６】
図１２（ｂ）は、図１２（a）におけるＦＦ断面を示した図である。フレーム５には、第１の軸受部２０が設けられている。第１の軸受部２０は、第１のピン２２のネジ部２２ｃと相補的な雌ネジの構造となっている。ネジ部２２ｃは第１の軸受部２０と螺合するネジ機構となっており、第１のピン２２は第１の軸受部２０の中心軸回りに回転可能である。第１のピン２２は第１の軸受部２０に螺合された後で、止め輪２２ｄを嵌められることによって、第１の軸受部２０から抜け落ちることがなくなる。
【００３７】
図１２（ａ）に示すように第１のピン２２には、ネジ部２２ｃの中心軸に対して偏心した第１のカム部２２ｅが設けられており、第１のピン２２を回転させることによって、第１のカム部２２ｅと第１の開口部１８の底部１８ｃが接触することによって、ネジ部２２ｃの高さが変化し、従って第１の軸受部２０の高さが変化し、フレーム５あるいは本体２が、第２のピン１７を中心に回転する。傾きが調整された後で固定ネジ１４ａ〜１４ｄを固定状態となるように締める。図１２（a）、図１２（ｂ）は、第２のカム部１７ｅが中心軸に対して上側に位置しており、ネジ部２２ｃが底部１８ｃに対してカム部２２ｅの偏心の大きさだけ下降した状態、即ち支持部１０に対してフレーム５が下降した状態を示している。
【００３８】
支持部１０に対してフレーム５を下降させ、支持部１１に対してフレーム５を上昇させることによって、または、支持部１０に対してフレーム５を上昇させ、支持部１１に対してフレーム５を下降させることによって、フレームの回転角度を大きくすることができる。
【００３９】
図１３は、実施の形態２におけるフレーム５の動作を示した背面図である。第１のピン２２と第２のピン１７の間に回転中心を有して、フレーム５が回転する様子を強調して示している。
【００４０】
以上のように、本体２に設けられた第１の軸受部２０と、第１の軸受部２０に通され前記軸受部の中心軸回りに回転可能であると共に軸受部の中心軸に対して偏心するように設けられた第１のカム部２２ｅを有する第１のピン２２と、スタンド３に設けられ第１のピン２２の頭部２２ａが通過する第１の孔部１８ａと第１のカム部２２ｅが嵌められる第２の孔部１８ｂにより構成された第１の開口部１８と、本体２に設けられた第２の軸受部２１と、第２の軸受部２１に通され前記軸受部の中心軸回りに回転可能であると共に軸受部２１の中心軸に対して偏心するように設けられた第２のカム部１７ｅを有する第２のピン１７と、スタンド３に設けられ第２のピン１７の頭部１７ａが通過する第３の孔部１９ａと第２のカム部１７ｅが嵌められる第４の孔部１９ｂにより構成された第２の開口部１９と、によって、フレーム５あるいは本体２とスタンド３とを組み立てる際のフック機能と位置決め機能を有すると共に傾き調整をも行うことができる。従って、表示装置の本体２とスタンド３の組立てが簡単であると共に、簡単な構造で表示装置１の本体２の傾きを調整することができる。また傾き調整においては十分な調整量を確保することができる。
【００４１】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００４２】
１  表示装置
２  本体
３  スタンド
４  表示パネル
５  フレーム
６  前面カバー
７  背面カバー
８  台座
９  支持部材
９ａ  脚部
１０  支持部
１１  支持部
１２ａ〜１２ｄ  孔
１３ａ〜１３ｄ  ネジ穴
１４ａ〜１４ｄ  固定ネジ
１５ａ〜１５ｄ  開口部
１６  第１のピン
１６ｅ  第１のカム部
１７  第２のピン
１７ｅ  第２のカム部
１８  第１の開口部
１８ａ  第１の孔
１８ｂ  第２の孔
１９  第２の開口部
１９ａ  第３の孔
１９ｂ  第４の孔
２０  第１の軸受部
２１  第２の軸受部
２２  第１のピン
２２ｅ  第１のカム部
【図１】
2011077951.tif 000003
【図２】
2011077951.tif 000004
【図３】
2011077951.tif 000005
【図４】
2011077951.tif 000006
【図５】
2011077951.tif 000007
【図６】
2011077951.tif 000008
【図７】
2011077951.tif 000009
【図８】
2011077951.tif 000010
【図９】
2011077951.tif 000011
【図１０】
2011077951.tif 000012
【図１１】
2011077951.tif 000013
【図１２】
2011077951.tif 000014
【図１３】
2011077951.tif 000015